(57)【要約】【課題】  生産性のよい竹を素材にして低価格で安定供給すると共に、消臭と抗菌効果にも役立つ棺を提供する。【解決手段】  蓋板２と底板３を独立材とし、長短各二辺の胴板５，６，７，８を接続手段で折畳み可能な胴部４に構成した。短辺側胴板の少なくとも一カ所に折目９，１０を付け、前記折目に沿い両短辺側胴板を外から内に押すと、両長辺側胴板の間に両短辺側胴板が挟み込まれて胴部が折畳まれる構造とした。折畳状態の復元は長辺側胴板に外向きの力を加え折畳まれた両短辺側胴板を起こし、復元した胴部下端に底板を接続と固着の両手段で一体化した。随時、蓋板を所要箇所に置き接続固着する構造を竹板で構成した。【選択図】    図３
0003114242.tif 000002
【実用新案登録請求の範囲】
【請求項１】
蓋板（２）と底板（３）及び長短各二辺の胴板（５，６，７，８）でなる胴部（４）を主構成材とする棺に於いて、少なくとも主構成材の一つに、丸竹を展開するか削り出した小板を、縦横方向に所要数を配列組合せて接着固定して所要大とした集成材（４７）か積層材（４８）或いは両材を組合せた何れか竹板を使用した組立式棺。
【請求項２】
蓋板（２）と底板（３）を独立材とし、長短各二辺の胴板（５，６，７，８）を接続手段で折畳み可能な胴部（４）に構成し、短辺側胴板の少なくとも一カ所に折目（９，１０）を付け、前記折目に沿い両短辺側胴板を外から内に押すと、両長辺側胴板の間に両短辺側胴板が挟み込まれて胴部が折畳まれ、折畳状態の復元は長辺側胴板に外向きの力を加え折畳まれた両短辺側胴板を起こし、復元した胴部下端に底板を接続と固着の両手段で一体化した後、随時、蓋板を所要箇所に置き接続固着する請求項１に記載の組立式棺。
【請求項３】
蓋板（２）を独立材とし、長短各二辺の胴板（５，６，７，８）を接続手段で折畳み可能な胴部（４）に構成し、底板（３）を接続手段で長辺側胴板の何れかと折重ね可能にし、長辺側胴板との接続部を支点に胴部を回転し、底板の裏面（１４）に長辺側胴板の外面（１５）を重ねて、短辺側胴板の少なくとも一カ所に折目（９，１０）を付け、前記折目に沿い両短辺側胴板を外から内に押すと、両長辺側胴板間に両短辺側胴板が挟み込まれて胴部が折畳まれ、次いで底板の裏面に重ねる構造とし、折畳状態の復元は両長辺側胴板に外向きの力を加え折畳まれた両短辺側胴板を起こし、復元した胴部を回転して底板上に乗せ前記胴部の下端に底板を接続と固着の両手段で一体化した後、随時、蓋板を所要箇所に置き接続固着する請求項１に記載の組立式棺。
【請求項４】
蓋板（２）と胴部（４）を構成する短辺側胴板（７，８）を独立材とし、底板（１）と胴部を構成する長辺側胴板（５，６）を接続手段で折重ね可能な構造とし、折重ね状態の復元は両長辺側胴板に外向きの力を加えて起こし、復元した胴部の所要箇所に短辺側胴板を挿入し接続と固着の両手段で一体化した後、随時、蓋板を所要箇所に置き接続固着する請求項１に記載の組立式棺。
【請求項５】
蓋板（２）と底板（３）及び長短各二辺の胴板（５，６，７，８）の全てを独立体とし、蓋板を除く独立体同士を接続と固着の両手段で一体化した後、随時、蓋板を所要箇所に置き接続固着する請求項１に記載の組立式棺。
【請求項６】
主構成材同士を折畳み可能か折重ねを可能にする接続手段が二本の回転軸（２７，２８）とリンク（２９）を内蔵する二軸型の蝶番（２６）である請求項１から４の何れかに記載の組立式棺。
【請求項７】
接続手段に二軸型の蝶番（２６）を使用した主構成材同士の固定手段が、該蝶番の動きを利用した遊びのないだぼ（３２）とだぼ孔（３３）からなる駿合構造である請求項６に記載の組立式棺。
【請求項８】
竹板表面を炭化した請求項１から５の何れかに記載の組立式棺。
【請求項９】
炭化部分を可燃性材料の紙か布で表具した請求項１から５の何れかに記載の組立式棺。
【請求項１０】
焼成温度６５０〜８５０度Ｃで粒子径３０〜１００ミクロンの範囲に調整した竹炭の微粒子と接着剤溶液からなる混合液を、主構成材の内側表面に塗布して厚み１００〜５００ミクロンの範囲の塗膜を形成した請求項１から５の何れかに記載の組立式棺。
【請求項１１】
炭化した竹ゼファーボードを床敷材に使用した請求項１から５の何れかに記載の組立式棺。
【考案の詳細な説明】
【技術分野】
【０００１】
本考案は、竹から採取した小板を必要な数、長さと幅と厚みの三方向もしくは何れか二
方向に接続した板を使用し、折畳みと折重ねを自在とした構造の組立式棺に関する。
【背景技術】
【０００２】
棺は人だけでなく愛玩動物にも使用され、木材の種類・大きさ・形状・内外面の仕上げ
状態等から分けると種類は多いが構造的には大きな違いはない。然し、最終の過程で焼却
する必要があるため、可燃性の木材から製材した板材を使用し木釘で組立てた棺が使われ
る。また、需要には遅滞なく提供しなければならないため見込み生産をして在庫するが、
その場合、大きなスペースと在庫中の変質を防止する管理も必要になる。
【０００３】
新素材の開発や・素材加工技術の進歩に伴い、環境汚染問題の解決や生産と保管に伴う
取扱性の向上等、数多くの改善に関する考案が開示されている。例えば、特許文献１には
折畳み式棺技術が、特許文献２には紙製棺の技術が、特許文献３には発砲樹脂製棺の技術
が開示されている。
【特許文献１】特開２００５−１０２９０６号公報
【特許文献２】特開２００５−５２４０７号公報
【特許文献３】特開平１１−２２６０６７号公報
【考案の開示】
【考案が解決しようとする課題】
【０００４】
木材は、軽量・加工容易・外観美麗・可燃と言う特徴を持つ反面、大量の板材もしくは
大きな板材が得られる迄の成長に膨大な時間を要し、極めて生産性の悪い素材でもあるた
め、多用途の素材としての木材は確実に減少傾向にある貴重な資源である。従って、有効
に利用されねばならないが、製品から焼却消滅するまでの使用時間が短いため、棺に望ま
れる多くの特性を木材が持つとしても、資源の有効利用という面で充分とは言い難い。
【０００５】
特許文献１が開示する折畳み式棺は容易に折畳みできるが、木材の使用と接続手段であ
るテープの経時変化に対する強度の信頼性に問題がある。特許文献２が開示する紙製棺は
再生祇の利用が期待できる方法なので、資源の有効利用度の向上は期待できるが、木材を
原料とすることには変わりない。特許文献３が開示する発砲樹脂製棺は焼却時に樹脂に起
因する燃焼の温度上昇や燃焼ガス成分が、板や紙材料と同等のレベルになる迄には相当の
時間が必要と考えられる。
【課題を解決するための手段】
【０００６】
本考案は、底板と蓋板及び長短各二辺の胴板でなる胴部を主構成材とする棺に於いて、
少なくとも主構成材の一つに、丸竹を展開するか削り出した小板を、縦横方向に所要数を
配列組合せて接着固定して所要大とした集成材か積層材或いは両材を組合せた何れか竹板
を使用した組立式棺である。
【考案の効果】
【０００７】
本考案の組立式棺は下記の優れた特徴を備える。
１）蓋と底は着脱可能に胴部は折畳み可能な構造としたので速やかに組立ができた。
２）蓋板と底板と胴部を単位材か折畳み構造として、未使用時には重ねて嵩を低くし保管
と運搬等の取扱性を向上した。
３）反りを除いた高い曲げ強度を持つ板は長方形容器にとり充分な強度を提供した。
４）地肌の研磨で特有の模様が光沢を帯び表具を要しない程の見栄えに仕上げられた。
５）保水性は木に較べて小さく竹の持つ抗菌機能も利用できた。
６）板表面の炭化や炭化物の挿入等で消臭と除湿効果が高まり、炭化面からの遠赤外線効
果もあり、湿気による変質やかび等の問題を解決した。
７）生産性のよい素材のため低価格で安定した製品供給ができる。
【考案を実施するための最良の形態】
【０００８】
本考案は、主材料を木材から竹にすることで、棺に竹の持つ様々な特徴を付与できた。
竹は温暖で湿潤な地域に多く産し、地下茎を拡げて生息域を拡大しながら繁殖する。成長
期には一日で丈が１ｍも伸びることがある。商品化に要する生育期間は三年から五年と短
く、木材に較べると生産性が格段に優れているので、板の素材として供給が低価格で安定
して行える。
【０００９】
伐採した竹を水に浸け乾燥すると硬さと柔軟さが得られる、根元寄りの太い部分は所要
長さで輪切りにした後、断面を小分割して得られる円弧状縦割材を展開して広幅板とし、
先寄りの細い部分は多分割して得られる円弧状縦割材から削り出して小幅板にする。この
段階の板寸法は短い長さと狭い幅と薄い厚みに過ぎないため、集成か積層或いは集成と積
層の併用により所望寸法に拡大して使用する。
【００１０】
竹の板は大きくなると特有の反りがでやすくなる場合があるが、反り方向の異なる板同
士を組合せ積層固着すると除くことができる。反りを除くと太い繊維から得られる高い曲
げ強度が心配なく活用できるので、長方形容器である棺にとり好適な材料になる。また、
小寸法の板を集成すると板表面は組合せ次第で様々な模様を提供する。また、硬い地肌を
研磨すると光沢がでて美しさを伴う優れた外観が得られる。
【００１１】
棺の第一の態様は、蓋板と底板を独立材とし、長短各二辺の胴板を接続手段で折畳み可
能な胴部に構成した。短辺側胴板の少なくとも一カ所に垂直で長辺側胴板に平行な折目を
付け、前記折目に沿い両短辺側胴板を外から内に押すと、長辺側胴板の間に短辺側胴板が
挟み込まれて胴部が折畳まれる構造とした。折畳状態の復元は両長辺側胴板に外向きの力
を加えて折畳まれた両短辺側胴板を起こし、復元した胴部下端に底板を接続と固着の両手
段で一体化した。随時、蓋板を所要箇所に置き接続固着する構成とした。
【００１２】
棺の第二の態様は、蓋板を独立材とし、長短各二辺の胴板を接続手段で折畳み可能な胴
部に構成し、底板を接続手段で前記長辺側胴板の何れかと折重ね可能にした。長辺側胴板
との接続部を支点に胴部を回転して、底板の裏面に長辺側胴板の外面を重ね合わせ、短辺
側胴板の少なくとも一カ所に垂直で長辺側胴板に平行な折目を付け、前記折目に沿い両短
辺側胴板を外から内に押すと、両長辺側胴板間に両短辺側胴板が挟み込まれて胴部が折畳
まれ底板の裏面に重なる構造とした。折畳状態の復元は両長辺側胴板に外向きの力を加え
折畳まれた両短辺側胴板を起こし、復元した胴部を回転して底板上に乗せ前記胴部の下端
に底板を接続と固着の両手段で一体化した。随時、蓋板を所要箇所に置き接続固着する構
成とした。
【００１３】
棺の第三の態様は、蓋板と胴部を構成する短辺側胴板を独立材とし、底板と胴部を構成
する長辺側胴板を接続手段で折重ね可能にする構造とした。折重ね状態の復元は両長辺側
胴板に外向きの力を加えて起こし、復元した胴部の所要箇所に短辺側胴板を挿入し接続と
固着の両手段で一体化した。随時、蓋板を所要箇所に置き接続固着する構成とした。
【００１４】
棺の第四の態様は、蓋板と底板及び長短各二辺の胴板を独立体とし、蓋板を除く独立体
同士を接続と固着の両手段で一体化した。随時、蓋板を所要箇所に置いて接続固着する構
成とした。
【００１５】
各態様に於いて、主構成材同士の折畳みか折重ねを可能にする接続手段に一軸型か二本
の回転軸とリンクを内蔵する二軸型の蝶番を使用した。また、接続部の位置決めと固定手
段に炭合を助ける桟のような補助材か二軸型の蝶番と併用するだぼ式嵌合構造かあり溝式
嵌合構造を目的に合わせて使用した。接着剤を使用する際は、予め、嵌合面の要部にカプ
セル化した粉末状接着剤を塗布し加圧すると接着効果が得られる粉末型か、組立時に液体
型の接着剤を塗布してもよい。釘も固着手段として使用する。接続や固定の両手段の材質
も木か竹がよいが、低温で溶融し固化もするアルミニウムもしくは可燃性で有害物質を排
出し難い合成樹脂でもよい。
【００１６】
折畳みか折重ねを可能にする接続手段は、未使用時には主構成材を適宜折畳み重ねて嵩
を縮めることができるので、在庫や移送等の取扱性を向上する。構造も簡単で組立の労力
も少ない。また、竹から抗菌成分の樹液が採取できるが、加工板にした後も抗菌能力が残
る。保水性は木に較べて小さい。また、強度を損なわぬ範囲で板表面の要部（棺内面等）
を炭化すると消臭と除湿効果を付与できるし炭化面から遠赤外線もでる。この様な特性は
保管製品が湿気の影響を受けて起こす虫喰いやかびの問題を解決し、炭化表面は表具でき
るので外観を損なうことはない。
【００１７】
板表面の要部を炭化して消臭効果も付与する手段に代え、焼成温度６５０〜８５０度Ｃ
で粒子径３０〜１００ミクロンの範囲の竹炭の微粒子と接着剤溶液からなる混合液をつく
り、主構成材で囲む内面の必要部分に厚み１００〜５００ミクロンの範囲の塗膜が形成さ
れるように吹き付けか刷毛塗りしてもよい。また、炭化と塗布の両手段を併用すると消臭
と除湿効果をより向上させることができる。
【００１８】
炭化か塗布の両手段とは別に、竹のゼファー（連続網状繊維）か炭化した竹のゼファー
に竹炭粉末とバインダー役の加熱溶融繊維を加え、厚み５〜１５ｍｍの範囲に加熱成形し
た炭化竹ゼファーボードを床敷材として使用すると強力な消臭と吸湿効果が得られる。バ
インダーの加熱溶融繊維に所要長さのポリエチレン糸かポリエチレンを外側にポリプロピ
レンを内側にした二層構造糸を使用する。後者はポリエチレンが溶けてバインダーの役目
を果たし、ポリプロピレンは溶けずに竹ゼファーに絡み強いボードを提供する。
【実施例１】
【００１９】
図１は組立斜視図である。図２は分解斜視図である。図３（Ａ，Ｂ，Ｃ）は胴部の組立
と半組と折畳みの斜視図である。図４は重ね状態の斜視図である。図５（Ａ，Ｂ，Ｃ）は
丸竹と円弧状縦割材と展開加工した板の斜視図である。図６（Ａ，Ｂ，Ｃ）は丸竹と円弧
状縦割材と削り出した板の斜視図である。図７（Ａ，Ｂ）は小さい板を二方向に組み合わ
せた集成材と積層材の斜視図である。
【００２０】
本実施例は、第一の態様に相当する構造の棺１である。図１と２のように、棺は蓋板２
と底板３及び二枚の短辺側胴板５，６と二枚の長辺側胴板７，８からなる胴部４を主構成
材とする。図３（Ａ，Ｂ，Ｃ）のように、二枚の短辺側胴板は中央９，１０を長辺側胴板
に平行な垂直線で分割し、該分割線に沿い胴部の内側に折曲げできるように蝶番１３を介
して接続する。四枚の胴板も端部同士が接する部分から折曲がるように蝶番１３で接続す
るので、折畳むと二枚の長辺側胴板の間に二枚の短辺側胴板が挟まれる。
【００２１】
図４は、折畳んだ胴部４を挟むようにして蓋板２と底板３を重ねた状態で、この重ね状
態と手順は本図に限定されない。蓋板表面には窓枠１１と可動窓１２が突出するので、移
動や組立を考慮すると最上段に蓋板を置くのが望ましい。組立ての場合は重ね状態から蓋
板と底板を外して横に置き、上の長辺側胴板５を充分に持ち上げると蝶番１３で接続した
短辺側胴板７，８が続いて立ち上がり胴部が復元する。
【００２２】
復元した胴部４を底板３と組合わす際に、胴部を構成する胴板５，６，７，８の下端を
底板上の桟１６，１７，１８，１９に合わせて位置決めを行い、嵌合が終わると所要箇所
に竹の釘２０を打ち固定する。蓋板２と胴部４の位置決めと固定も底板と胴部４の場合と
変わらない。
【００２３】
主構成材の材料には下記の過程を経て作られた竹の板を使用した。竹は脱脂乾燥後に所
要長さに裁断し表裏の皮や節等を除いた竹材５０を縦に分割する。図５（Ａ，Ｂ，Ｃ）の
ように、太径部に少数の切目５１を入れ得られる円弧状縦割材５３を矢印方向に展開し長
い広幅板５５にする。図６（Ａ，Ｂ，Ｃ）のように、細径部に多数の切目５２を入れ得ら
れる円弧状縦割材５４を削り出して短かい小幅板５６にする。両者は寸法が小さいので図
７（Ａ）のように、所要数の小板を縦横（Ｗ，Ｌ）方向に並べて接着拡大し集成材５７と
して使用する。
【００２４】
表裏の皮を除くと繊維による模様が表面に現れ、適宜、模様を組合わすと多様な外観が
得られる。硬い表面は軽い研磨で光沢が得られ紙や布で表具する要のない程に仕上がる。
板は曲げに強いが反りも現れ易いので、図７（Ｂ）のように、反りの出る厚み（Ｔ）方向
を逆向きに接着して積層材５８にすると解消できる。積層材と集成材５７を組合わすとよ
り面広の板が得られる。集成材や積層材を長方形容器材料として使用しても何の問題も起
こらない。
【００２５】
接続手段として使用する蝶番１３も竹か木製が望ましいが、所要の強度を持ち低温度で
溶融し燃焼中も有害ガスを発生せず冷却後に固るアルミニュウムのような金属でもよい。
蝶番は一軸構造のイーブン型か旗型の何れでもよい。主構成材を接続したあと固定手段に
使用する釘２０等の固定具も竹か木製が望ましいがアルミニュウム製でもよい。予め、釘
の使用箇所に細目の下孔を開けておくと組立を速め外観を傷つける恐れも減る。
【００２６】
竹の持つ抗菌能力は加工した板にも継承され、炭化面からは遠赤外線もがでるので、保
管中の湿気によるかび等の被害防止に役立つ。内表面を色付く程度に炭化するか炭粉入り
塗料を塗布して塗膜を形成すると脱臭と脱湿効果が得られるが、炭化面を表具する手間が
必要になることがある。消臭と脱湿効果を高めるため炭化竹ゼファーボード（図示せず）
を床敷材として棺に挿入してもよい。主構成材の素材に木材を併用してもよいが、竹によ
る効果を薄めることになるので好ましいことではない。
【実施例２】
【００２７】
図８は分解斜視図である。図９（Ａ，Ｂ，Ｃ）は底板と胴部の組立と半組と折畳みの斜
視図である。図１０（Ａ，Ｂ，Ｃ）は図９の組立と半組と折畳みに相当する蝶番の動き三
態の斜視図である。
【００２８】
本実施例は、第二の態様に相当する構造の棺１Ａである。図８のように、底板３と胴板
４は蝶番１３で接続されている事が実施例１との相違点になる。実施例２以降の各実施例
では組立図と重ね状態図が実施例１に酷似するので図１と図４を引用し、板の製造・接続
手段・固定手段・炭化・塗膜・床敷材等の共通する部分の説明と図面も実施例１を引用す
る。新たに付加する説明は構造の相違点と該周辺に限定する。
【００２９】
図９（Ａ，Ｂ，Ｃ）のように、底板３の一辺と胴部４を構成する長辺側胴板６の下端を
蝶番２１で折畳み自在に接続するが、折畳んだ底板の裏面１４と長辺側胴板の外面１５を
当接する必要がある。従って、長辺側胴板に対して底板を２７０度回転して裏向きに置い
て、該裏面に折畳んだ胴部を重ねる。胴部の復元は底板と接続していない長辺側胴板５を
上方に引き上げて折畳まれた短辺側胴板７，８を伸ばし、底板を元の方向に２７０度回転
した後、復元した胴部を底板に乗せ位置決めし固定すればよい。
【００３０】
図１０（Ａ，Ｂ，Ｃ）は底板３と長辺側胴板５の接続手段である蝶番２１の動きを示し
た。蝶番を構成する二枚の羽根板２２，２３には旋回軸に対して直角方向の長さが大幅に
異なり、蝶番を構成する羽根板の回転角度は普通９０〜１８０度の範囲であるのに対し、
本例は２７０度の広角で使用することに特徴がある。
【実施例３】
【００３１】
図１１は分解斜視図である。図１２（Ａ，Ｂ）は底板と両長辺側胴板の組立と半組及び
折畳みの斜視図である。図１３（Ａ，Ｂ，Ｃ，Ｄ，Ｅ）は図１２の組立時の蝶番斜視図、
組立と半組と折畳みに相当する該蝶番の正面図と二態の側面図、だぼ式嵌合構造の側面図
である。図１４（Ａ，Ｂ，Ｃ，Ｄ）は図１２の組立時の別態様の蝶番斜視図及び組立と半
組と折畳みに相当する該蝶番の正面図と二態の側面図である。図１５はあり溝式嵌合構造
の斜視図である。
【００３２】
本実施例は、第三の態様に相当する構造の棺１Ｂである。図１１のように、底板３を中
にして両長辺側胴板５，６が小幅板４０を介して二軸型の蝶番２６で観音開きするように
接続されていることが実施例１との相違点になる。図１２（Ａ，Ｂ）のように、寸法によ
り長辺側胴板同士を折畳むと同板先端２４，２５が重なる場合があるので、重なり部分が
蓋板を重ねる際の支障にならぬ姿勢が採れる接続手段の使用が望ましい。
【００３３】
図１３（Ａ，Ｂ，Ｃ，Ｄ，Ｅ）は前記の重ねの収まりを考慮した二軸型の蝶番２６で、
蝶番の回転軸２７，２８付きリンク２９で折畳み自在に床板３と長辺側胴板５の間を直接
接続する。長辺側胴板を折畳むと床板に対し長辺側胴板は二軸間に相当する距離分内側に
入り込み、長辺側胴板は重なり部分が突出することなく底板面内に納まる。回転軸の一方
を長辺側胴板に付けた軸受材３０，３１で支持し、他方は底板の位置決め用桟１６，１７
を利用するか別に軸受材を付ける。
【００３４】
二軸型の蝶番２６の特徴は、リンク２９が底板３側の回転軸２８を回転中心にして動く
ので、回転軸２７付く長辺側胴板５の端部は回転軸間距離分だけ内側と外側に動くことが
できる。図１３（Ｅ）のように、桟１６に接触する長辺側胴板下面にダボ孔３２を設け、
床板に接着剤で固定した桟の所要箇所にダボ３３を埋めて置くと、リンクの働きで底板に
対して長辺側胴板を極力直角に保ちながら桟に近づけることができるので、ダボ孔とダボ
の両中心が略一致して緩みのない嵌合ができる。緩みのないダボ式嵌合は組立後の蝶番に
掛かる重量負担を減らして釘の使用を省くことができる。
【００３５】
図１４（Ａ，Ｂ，Ｃ，Ｄ）も収まりを考慮した別態様の回転軸のない蝶番３４である。
床板３の両端に小幅板４０を建て付け、小幅板と長辺側胴板５の間に金属箔・フイルム・
紙・布等の何れか可燃で可撓性のシート３５面に三角材３６，３７を向き合せて固定した
構造である。三角材の斜面３８，３９が当たるまで折畳むと両長辺側胴板５，６の各先端
が重なり収まる。小幅板と長辺側胴板下端が接する一部分４１を重複させると、長辺側胴
板を起こして復元した時に小幅板との合わせ目に隙間ができない。図１３と図１４の蝶番
は小幅板の有無に関係なく使えるし実施例１と２にも利用できる。
【００３６】
図１５は長辺側胴板５，６の間に短辺側胴板７，８を差し込み固定する際の故合構造で
ある。胴板の何れか側にあり４２を付け他の側にあり溝４３を付けて組合せ固定する。あ
り溝式の嵌合構造は遊びが少なく強固な接続が得られ位置決めに役立つ。従って、固定釘
の数を減らすことができる。
【実施例４】
【００３７】
図１６は分解斜視図である。
【００３８】
本実施例は、第四の態様に相当する構造の棺１Ｃである。図１６の主構成材は全て独立
材のため、独立材同士の接続手段には実施例３で示した図１５のあり溝式嵌合構造を、蓋
板２と胴部４及び底板３と胴部の接続手段には、接続対象板の何れか側に、実施例１に示
した図２の位置決めを兼ねた桟による嵌合構造を形成し、接続後に加工済みの下孔に釘を
通し固定する。
【図面の簡単な説明】
【００３９】
【図１】組立斜視図である。（実施例１）
【図２】分解斜視図である。
【図３】（Ａ，Ｂ，Ｃ）は胴部の組立と半組及び折畳みの斜視図である。
【図４】重ね状態の斜視図である。
【図５】（Ａ，Ｂ，Ｃ）は丸竹と円弧状縦割材と展開加工した板の斜視図である。
【図６】（Ａ，Ｂ，Ｃ）は丸竹と円弧状縦割材と削り出した板の斜視図である。
【図７】（Ａ，Ｂ）は小板を二方向に組み合わせた集成材と積層材の斜視図である。
【図８】分解斜視図である。（実施例２）
【図９】（Ａ，Ｂ，Ｃ）は底板と胴部の組立と半組及び折畳みの斜視図である。
【図１０】（Ａ，Ｂ，Ｃ）は図９の組立と半組と折畳みに相当する蝶番の動き三態である。
【図１１】分解斜視図である。（実施例３）
【図１２】（Ａ，Ｂ）は底板と両長辺側胴板の組立と折畳みの斜視図である。
【図１３】（Ａ，Ｂ，Ｃ，Ｄ，Ｅ）は図１２の組立時の蝶番斜視図、組立と半組と折畳みに相当する該蝶番の正面図と二態の側面図、だぼ式嵌合構造の側面図である。
【図１４】（Ａ，Ｂ，Ｃ，Ｄ）は図１２の組立時の別態様の蝶番斜視図及び組立と半組と折畳みに相当する該蝶番の正面図と二態の側面図である。
【図１５】あり溝式嵌合構造の斜視図である。
【図１６】分解斜視図である。（実施例４）
【符号の説明】
【００４０】
１，１Ａ，１Ｂ，１Ｃ  棺
２  蓋板
３  底板
４  胴部
５，６  長辺側胴板
７，８  短辺側胴板
９，１０  中央折目
１３，２１，２６，３４  蝶番
１６，１７，１８，１９  桟
２４，２５  長辺側胴板先端
３２  だぼ孔
３３  だぼ
４０  小幅板
４１  重複部
５０  竹材
５１，５２  切目
５３，５４  円弧状縦割材
５５  広幅板
５６  小幅板
５７  集成板
５８  積層板
【図１】
0003114242.tif 000003
【図２】
0003114242.tif 000004
【図３】
0003114242.tif 000005
【図４】
0003114242.tif 000006
【図５】
0003114242.tif 000007
【図６】
0003114242.tif 000008
【図７】
0003114242.tif 000009
【図８】
0003114242.tif 000010
【図９】
0003114242.tif 000011
【図１０】
0003114242.tif 000012
【図１１】
0003114242.tif 000013
【図１２】
0003114242.tif 000014
【図１３】
0003114242.tif 000015
【図１４】
0003114242.tif 000016
【図１５】
0003114242.tif 000017
【図１６】
0003114242.tif 000018